【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
外周面に加工パターンが形成されたロール金型の周囲に長尺シート基材を配置し、
前記ロール金型を回転させ前記長尺シート基材の搬送を開始し、
前記長尺シート基材を通して、前記ロール金型に活性エネルギ線の照射を開始し、
前記ロール金型と前記長尺シート基材との間に活性エネルギ線硬化性樹脂を供給し前記活性エネルギ線により前記活性エネルギ線硬化性樹脂を硬化させ、前記加工パターンに相補的なパターンを前記長尺シート基材上に形成することにより、光学シートを製造する方法であって、
前記ロール金型の前記外周面には、前記加工パターンを保護する保護膜が予め配置されており、
前記保護膜は、前記長尺シート基材に接着されて前記長尺シート基材の搬送とともに前記ロール金型から除去され、
前記保護膜が、前記ロール金型の外周面から除去された後に、前記光学パターンが連続して形成されることを特徴とする光学シートの製造方法。
【請求項２】
前記保護膜は、前記ロール金型と前記長尺シート基材との間に供給された活性エネルギ線硬化性樹脂によって、前記長尺シート基材に接着されることを特徴とする請求項１に記載の光学シートの製造方法。
【請求項３】
前記ロール金型の前記外周面に配置された前記保護膜上に、耐熱シートが配置されており、前記耐熱性シートは、前記長尺シート基材の表面に接着されて前記保護膜上から除去されることを特徴とする請求項１に記載の光学シートの製造方法。
【請求項４】
前記耐熱性シートは、長尺に形成され、その長さが前記ロール金型の外周長よりも長くなっており、さらに前記ロール金型の回転方向上流側から下流側に向かって前記ロール金型に巻きつけられている請求項３に記載のロール金型を用いた光学シートの製造方法。
【請求項５】
前記耐熱性シートにおける前記ロール金型の回転方向下流側の端は、先細り形状を有し、その先端部が当該耐熱性シートの外側面に接着されている請求項４に記載のロール金型を用いた光学シートの製造方法。
【請求項６】
前記保護膜の硬度が、前記ロール金型の外周面の硬度、および前記活性エネルギ線硬化性組成物の硬化後の硬度よりも低い請求項１乃至５に記載の光学シートの製造方法。
【請求項７】
加工パターンが形成されたロール金型の外周面と、長尺シート基材の間に活性エネルギ線硬化性組成物を配置して、この活性エネルギ線硬化性組成物に活性エネルギ線を照射して、前記長尺シート基材の表面に活性エネルギ線硬化性樹脂パターンを形成するためのロール金型の保護方法であって、
前記ロール金型の外周面と、前記長尺シート基材の間に活性エネルギ線硬化性組成物を配置する前に、前記ロール金型の外周面を保護するための保護膜を、該ロール金型の外周面に配置する保護膜配置工程を備え、
前記保護膜は、前記長尺シート基材の表面に接着され、前記長尺シート基材とともに前記金型表面から除去されること
を特徴とするロール金型の保護方法。
【請求項８】
前記保護膜は、前記ロール金型と前記長尺シート基材との間に供給された活性エネルギ線硬化性樹脂によって、前記長尺シート基材に接着されることを特徴とする請求項７に記載のロール金型の保護方法。
【請求項９】
前記保護膜配置工程は、前記保護膜上に耐熱性シートを配置する耐熱性シート配置工程を含み、
前記耐熱性シートは、前記長尺シート基材の表面に接着されて前記保護膜上から除去される、請求項７に記載のロール金型の保護方法。
【手続補正２】
【補正対象書類名】明細書
【補正対象項目名】０００７
【補正方法】変更
【補正の内容】
【０００７】
上述した課題を解決するために、外周面に加工パターンが形成されたロール金型の周囲に長尺シート基材を配置し、前記ロール金型を回転させ前記長尺シート基材の搬送を開始し、前記長尺シート基材を通して、前記ロール金型に活性エネルギ線の照射を開始し、前記ロール金型と前記長尺シート基材との間に活性エネルギ線硬化性樹脂を供給し前記活性エネルギ線により前記活性エネルギ線硬化性樹脂を硬化させ、前記加工パターンに相補的なパターンを前記長尺シート基材上に形成することにより、光学シートを製造する方法であって、前記ロール金型の前記外周面には、前記加工パターンを保護する保護膜が予め配置されており、前記保護膜は、前記長尺シート基材に接着されて前記長尺シート基材の搬送とともに前記ロール金型から除去され、前記保護膜が、前記ロール金型の外周面から除去された後に、前記光学パターンが連続して形成されること、を特徴とする。
【手続補正３】
【補正対象書類名】明細書
【補正対象項目名】０００８
【補正方法】変更
【補正の内容】
【０００８】
このように構成された本発明によれば、ロール金型の外周面に保護膜を配置することによってロール金型の外周面に形成された加工パターンを保護することができる。
そして、この保護膜は、長尺シート基材の表面に接着され長尺シート基材の運送とともに前記ロール金型から除去されるので、これにより一連の成形工程中にインラインで保護膜をロール金型の外周面から除去することができる。
また、本発明において、好ましくは、保護膜は、保護膜と長尺シート基材の間に配置される活性エネルギ線硬化性組成物によって長尺シート基材の表面に接着される材料によって形成されているので、樹脂パターンを形成するための活性エネルギ線硬化性組成物を用いて保護膜を長尺シート基材に接着させることができ、これにより一連の成形工程中にインラインで保護膜をロール金型の外周面から除去することができる。
【手続補正４】
【補正対象書類名】明細書
【補正対象項目名】００１０
【補正方法】変更
【補正の内容】
【００１０】
このように構成された本発明によれば、耐熱性シートによって保護膜を熱から保護することができる。
また耐熱性シートは、長尺シート基材の表面に接着されて前記保護膜上から除去されるため、これによりインラインで耐熱性シートを保護膜上から除去することができる。
【手続補正５】
【補正対象書類名】明細書
【補正対象項目名】００１８
【補正方法】変更
【補正の内容】
【００１８】
また、本発明は、加工パターンが形成されたロール金型の外周面と、長尺シート基材の間に活性エネルギ線硬化性組成物を配置して、この活性エネルギ線硬化性組成物に活性エネルギ線を照射して、前記長尺シート基材の表面に活性エネルギ線硬化性樹脂パターンを形成するためのロール金型の保護方法であって、前記ロール金型の外周面と、前記長尺シート基材の間に活性エネルギ線硬化性組成物を配置する前に、前記ロール金型の外周面を保護するための保護膜を、該ロール金型の外周面に配置する保護膜配置工程を備え、  前記保護膜は、前記長尺シート基材の表面に接着され、前記長尺シート基材とともに前記金型表面から除去されること、を特徴とする。
【手続補正６】
【補正対象書類名】明細書
【補正対象項目名】００１９
【補正方法】変更
【補正の内容】
【００１９】
また、本発明は、前記保護膜配置工程は、前記保護膜上に耐熱性シートを配置する耐熱性シート配置工程を含み、前記耐熱性シートは、前記耐熱性シートは、前記長尺シート基材の表面に接着されて前記保護膜上から除去されることを特徴とする。
【手続補正７】
【補正対象書類名】明細書
【補正対象項目名】００２０
【補正方法】変更
【補正の内容】
【００２０】
このように構成された本発明によれば、ロール金型の外周面に保護膜を配置することによって、空運転時にロール金型の外周面に形成された加工パターンと基材が接触するのを防止することができ、これにより加工パターンを保護することができる。
そして、この保護膜は、長尺シート基材の表面に接着されて前記保護膜上から除去されるため、インライン、すなわち従来の立ち上げ方法で保護膜をロール金型の外周面から除去することができる。また、活性エネルギ線硬化性組成物によって長尺シート基材の表面に接着される材料によって形成すれば、樹脂パターンを形成するための活性エネルギ線硬化性組成物を用いて保護膜を長尺シート基材に接着させることができ、これによりインライン、すなわち従来の立ち上げ方法で保護膜をロール金型の外周面から除去することができる。